(57)【要約】【課題】ＲＦＩＤ技術を用いた商品金額の精算時にＲＦタグの誤読率を低減することを可能とする。【解決手段】レジシステム１は、精算前の商品を入れる精算前カゴ２１が置かれる第１の所定領域側に配置された第１のアンテナ１１、及び精算後の商品を入れる精算後カゴ２２が置かれる第２の所定領域側に配置された第２のアンテナ１２を有し、第１及び第２のアンテナによって、商品６に貼付されたＲＦタグ７から該タグに記憶されている商品情報を読み取るリーダライタ２と、第１及び第２のアンテナが読み取った商品情報を管理する管理装置３と、を備え、管理装置は、第１のアンテナでＲＦタグを読み取れる状態から、第２のアンテナでＲＦタグを読み取れる状態に変化したと判定された場合に、ＲＦタグが貼付された商品が購入されたと判定する構成とする。【選択図】図３
2019191919.tif 000002
【特許請求の範囲】
【請求項１】
買物客が購入した商品の金額を精算するためのレジシステムであって、
精算前の商品が置かれる第１の所定領域側に配置された第１のアンテナ、及び精算後の商品が置かれる第２の所定領域側に配置された第２のアンテナを有し、前記第１及び第２のアンテナによって、商品に貼付されたＲＦタグから該タグに記憶されている商品情報を読み取るリーダライタと、
前記第１のアンテナ及び前記第２のアンテナが読み取った前記商品情報を管理する管理装置と、
を備え、
前記管理装置は、前記第１のアンテナで１つの商品に貼付された所定のＲＦタグを読み取れる状態から読み取れない状態に変化し、その後に、前記第２のアンテナで前記所定のＲＦタグを読み取れない状態から読み取れる状態に変化したと判定された場合に、前記所定のＲＦタグが貼付された前記商品が購入されたと判定することを特徴とするレジシステム。
【請求項２】
前記管理装置は、
前記第１のアンテナ及び前記第２のアンテナが前記所定のＲＦタグから取得した信号の受信信号強度について、
前記第１のアンテナの前記受信信号強度の値が前記第２のアンテナの前記受信信号強度の値よりも大きい状態から、前記第１のアンテナの前記受信信号強度の値が前記第２のアンテナの前記受信信号強度の値よりも小さい状態に変化した場合に、
前記所定のＲＦタグが貼付された前記商品が購入されたと判定することを特徴とする請求項１に記載のレジシステム。
【請求項３】
前記第１のアンテナと前記第２のアンテナとの間に、前記第１のアンテナ及び前記第２のアンテナから放射される電波を遮蔽する遮蔽板を設けたことを特徴とする請求項１または請求項２に記載のレジシステム。
【請求項４】
買物客が購入した商品の金額を精算するためのレジシステムであって、
精算前の商品が置かれる第１の所定領域側に配置された第１のアンテナ、精算後の商品が置かれる第２の所定領域側に配置された第２のアンテナ、及び前記第１のアンテナと前記第２のアンテナとの間に配置される第３のアンテナを有し、前記第１、第２及び第３のアンテナによって、商品に貼付されたＲＦタグから該タグに記憶されている商品情報を読み取るリーダライタと、
前記第１のアンテナ、前記第２のアンテナ、及び前記第３のアンテナが読み取った前記商品情報を管理する管理装置と、
を備え、
前記管理装置は、
１つの商品に貼付された所定のＲＦタグから取得した信号について、
前記第１のアンテナでは読み取れるが前記第３のアンテナでは読み取れない状態から、前記第１のアンテナでは読み取れないが前記第３のアンテナでは読み取れる状態に変化し、その後に、
前記第３のアンテナでは読み取れるが前記第２のアンテナでは読み取れない状態から、前記第３のアンテナでは読み取れないが前記第２のアンテナでは読み取れる状態に変化した場合にのみ、
前記所定のＲＦタグが貼付された前記商品が購入されたと判定することを特徴とするレジシステム。
【請求項５】
前記管理装置は、
前記第１のアンテナ、前記第２のアンテナ、及び前記第３のアンテナの各アンテナが前記所定のＲＦタグから取得した信号の受信信号強度に基づいて、前記読み取れる状態であるか前記読み取れない状態であるかを判定するものとし、
前記第１のアンテナの前記受信信号強度の値が前記第３のアンテナの前記受信信号強度の値よりも大きい状態から、前記第１のアンテナの前記受信信号強度の値が前記第３のアンテナの前記受信信号強度の値よりも小さい状態に変化し、その後に、
前記第３のアンテナの前記受信信号強度の値が前記第２のアンテナの前記受信信号強度の値よりも大きい状態から、前記第３のアンテナの前記受信信号強度の値が前記第２のアンテナの前記受信信号強度の値よりも小さい状態に変化した場合にのみ、
前記所定のＲＦタグが貼付された前記商品が購入されたと判定することを特徴とする請求項４に記載のレジシステム。
【請求項６】
前記第１のアンテナ、前記第２のアンテナ、及び前記第３のアンテナの各アンテナ間に、前記各アンテナから放射される電波を遮蔽する遮蔽板を設けたことを特徴とする請求項４または請求項５に記載のレジシステム。
【請求項７】
前記精算前の商品が前記第１の所定領域に置かれたか否かを検出するセンサをさらに備え、
前記リーダライタは、精算前の商品が前記第１の所定領域に置かれたことが検出されたときに読み取りを開始し、精算前の商品が前記第１の所定領域から除去されたことが検出されたときに読み取りを終了することを特徴とする請求項１ないし請求項６のいずれかに記載のレジシステム。
【請求項８】
前記第１の所定領域に置かれた前記精算前の商品の重量を測定する第１の重量センサと、前記第２の所定領域に置かれた前記精算後の商品の重量を測定する第２の重量センサとをさらに備え、
前記管理装置は、前記第１の重量センサで測定した前記第１の所定領域の重量の減少分が、前記第２の重量センサで測定した前記第２の所定領域の重量の増加分と一致するか否かを判定し、一致すると判定された場合にのみ、前記所定のＲＦタグが貼付された前記商品が購入されたと判定することを特徴とする請求項１ないし請求項７のいずれかに記載のレジシステム。
【請求項９】
前記第１の所定領域に置かれた前記精算前の商品の重量を測定する重量センサをさらに備え、
前記所定のＲＦタグには該タグが貼付された前記商品の重量が記憶されており、
前記管理装置は、前記重量センサで測定した前記第１の所定領域の重量の減少分が、前記所定のＲＦタグから読み取った前記商品の重量と一致するか否かを判定し、一致すると判定された場合にのみ、前記所定のＲＦタグが貼付された前記商品が購入されたと判定することを特徴とする請求項１ないし請求項７のいずれかに記載のレジシステム。
【請求項１０】
前記第２の所定領域に置かれた前記精算後の商品の重量を測定する重量センサをさらに備え、
前記所定のＲＦタグには該タグが貼付された前記商品の重量が記憶されており、
前記管理装置は、前記重量センサで測定した前記第２の所定領域の重量の増加分が、前記所定のＲＦタグから読み取った前記商品の重量と一致するか否かを判定し、一致すると判定された場合にのみ、前記所定のＲＦタグが貼付された前記商品が購入されたと判定することを特徴とする請求項１ないし請求項７のいずれかに記載のレジシステム。
【請求項１１】
買物客が購入した商品の金額を精算するためのレジ精算方法であって、
精算前の商品が置かれる第１の所定領域側に配置された第１のアンテナによって、１つの商品に貼付された所定のＲＦタグから該タグに記憶されている商品情報をリーダライタが読み取り、
精算後の商品が置かれる第２の所定領域側に配置された第２のアンテナによって、前記所定のＲＦタグから該タグに記憶されている商品情報を前記リーダライタが読み取り、
前記第１のアンテナで前記所定のＲＦタグを読み取れる状態から読み取れない状態に変化し、その後に、前記第２のアンテナで前記所定のＲＦタグを読み取れない状態からから読み取れる状態に変化したと判定された場合に、前記所定のＲＦタグが貼付された前記商品が購入されたと判定することを特徴とするレジ精算方法。
【請求項１２】
買物客が購入した商品の金額を精算するためのレジ精算方法であって、
精算前の商品が置かれる第１の所定領域側に配置された第１のアンテナによって、１つの商品に貼付された所定のＲＦタグから該タグに記憶されている商品情報をリーダライタが読み取り、
精算後の商品が置かれる第２の所定領域側に配置された第２のアンテナによって、前記所定のＲＦタグから該タグに記憶されている商品情報を前記リーダライタが読み取り、
前記第１のアンテナと前記第２のアンテナとの間に配置された第３のアンテナによって、前記所定のＲＦタグから該タグに記憶されている商品情報を前記リーダライタが読み取り、
前記第１のアンテナでは読み取れるが前記第３のアンテナでは読み取れない状態から、前記第１のアンテナでは読み取れないが前記第３のアンテナでは読み取れる状態に変化し、その後に、
前記第３のアンテナでは読み取れるが前記第２のアンテナでは読み取れない状態から、前記第３のアンテナでは読み取れないが前記第２のアンテナでは読み取れる状態に変化した場合にのみ、
前記所定のＲＦタグが貼付された前記商品が購入されたと判定することを特徴とするレジ精算方法。
【請求項１３】
前記第１の所定領域に置かれた前記精算前の商品の重量を測定し、
前記第２の所定領域に置かれた前記精算後の商品の重量を測定し、
測定した前記第１の所定領域の重量の減少分が、測定した前記第２の所定領域の重量の増加分と一致するか否かを判定し、
一致すると判定された場合にのみ、前記所定のＲＦタグが貼付された前記商品が購入されたと判定することを特徴とする請求項１１または請求項１２に記載のレジ精算方法。
【発明の詳細な説明】
【技術分野】
【０００１】
本発明は、ＲＦＩＤ（Radio Frequency Identifier）技術を用いたレジシステム及びレジ精算方法に関する。
【背景技術】
【０００２】
近年、小売店等では、買物客が購入した商品の金額をレジで精算するときに、バーコードの代わりにＲＦＩＤ技術を用いることが検討されている。ＲＦＩＤ技術を用いると、各商品に貼付された複数のＲＦタグを一括して読み取ることや離れた場所からの読み取りができるため、レジでの精算業務の効率化やスピードアップを実現することが可能となる。また、ＲＦＩＤ技術を用いることにより、人件費削減等を目的としたセルフレジ（無人レジ）の導入も可能となる。
【０００３】
このような、ＲＦＩＤ技術を用いたレジシステムとして、商品識別情報を記憶した無線タグの情報を読み取る無線タグ読み取り部と、商品識別情報を記載したコードシンボルを読み取る光学的読み取り部と、前記無線タグと前記コードシンボルから読み取った情報を登録する登録部と、商品登録する商品を移動させる軌跡上に前記無線タグ読み取り部の読み取り領域と、前記光学的読み取り部の読み取り領域を配置したことを特徴とする商品情報登録装置が知られている（特許文献１参照）。
【先行技術文献】
【特許文献】
【０００４】
【特許文献１】特許第３８３９８１７号公報
【発明の概要】
【発明が解決しようとする課題】
【０００５】
上記の特許文献１に記載された従来技術では、登録前の商品を入れるカゴから登録後の商品を入れるカゴに商品を移動させるときに、その移動の軌跡上に配置した無線タグ読み取り部によって、商品に貼付された無線タグ（ＲＦタグ）を読み取るように構成されている。
【０００６】
しかしながら、上記の特許文献１の従来技術では、無線タグ読み取り部から放射される電波が無線タグ読み取り部の読み取り領域外まで放射されることにより、その読み取り領域外に位置する読み取りを所望しない商品に貼付された無線タグを誤って読み取ってしまうという問題があった。例えば、無線タグ読み取り部からの直接波、または天井、床、壁、レジ本体等で反射された反射波により、精算中の買物客の後ろ、または隣のレジに並んでいる買物客の買物カゴに入っている商品や陳列棚に陳列されている商品等に貼付された無線タグを誤って読み取ってしまう恐れがある。この問題は、無線タグの読取率を上げるために、無線タグ読み取り部の出力を上げた場合に顕著になる。
【０００７】
本発明は、このような従来技術の課題を鑑みて案出されたものであり、ＲＦＩＤ技術を用いた商品金額の精算時にＲＦタグの誤読率を低減することを可能にする、レジシステム及びレジ精算方法を提供することを主目的とする。
【課題を解決するための手段】
【０００８】
本発明のレジシステムは、買物客が購入した商品の金額を精算するためのレジシステムであって、精算前の商品が置かれる第１の所定領域側に配置された第１のアンテナ、及び精算後の商品が置かれる第２の所定領域側に配置された第２のアンテナを有し、前記第１及び第２のアンテナによって、商品に貼付されたＲＦタグから該タグに記憶されている商品情報を読み取るリーダライタと、前記第１のアンテナ及び前記第２のアンテナが読み取った前記商品情報を管理する管理装置と、を備え、前記管理装置は、前記第１のアンテナで１つの商品に貼付された所定のＲＦタグを読み取れる状態から読み取れない状態に変化し、その後に、前記第２のアンテナで前記所定のＲＦタグを読み取れない状態から読み取れる状態に変化したと判定された場合に、前記所定のＲＦタグが貼付された前記商品が購入されたと判定することを特徴とする。
【０００９】
本発明のレジ精算方法は、買物客が購入した商品の金額を精算するためのレジ精算方法であって、精算前の商品が置かれる第１の所定領域側に配置された第１のアンテナによって、１つの商品に貼付された所定のＲＦタグから該タグに記憶されている商品情報をリーダライタが読み取り、精算後の商品が置かれる第２の所定領域側に配置された第２のアンテナによって、前記所定のＲＦタグから該タグに記憶されている商品情報を前記リーダライタが読み取り、前記第１のアンテナで前記所定のＲＦタグを読み取れる状態から読み取れない状態に変化し、その後に、前記第２のアンテナで前記所定のＲＦタグを読み取れない状態からから読み取れる状態に変化したと判定された場合に、前記所定のＲＦタグが貼付された前記商品が購入されたと判定することを特徴とする。
【発明の効果】
【００１０】
本発明によれば、ＲＦＩＤ技術を用いた商品金額の精算時にＲＦタグの誤読率を低減することが可能となる。
【図面の簡単な説明】
【００１１】
【図１】本発明の第１実施形態に係るレジシステムの概略構成図
【図２】第１及び第２のアンテナが配置されるレジ台を示す斜視図
【図３】本発明の第１実施形態における精算時の様子を示す図
【図４】管理装置の概略構成を示すブロック図
【図５】管理装置での商品の購入の判定処理を説明するためのフロー図
【図６】図５で説明した処理の第１変形例を説明するためのフロー図
【図７】図５で説明した処理の第２変形例を説明するためのフロー図
【図８】図５で説明した処理の第３変形例を説明するためのフロー図
【図９】図５で説明した処理の第４変形例を説明するためのフロー図
【図１０】本発明の第２実施形態を示す図であり、図３に対応する図
【図１１】本発明の第３実施形態を示す図であり、図３に対応する図
【図１２】本発明の第４実施形態を示す図であり、図３に対応する図
【図１３】第１実施形態において第１及び第２のアンテナを複数設けた場合を示す図
【図１４】第４実施形態において第１及び第２のアンテナを複数設けた場合を示す図
【発明を実施するための形態】
【００１２】
前記課題を解決するためになされた第１の発明は、買物客が購入した商品の金額を精算するためのレジシステムであって、精算前の商品が置かれる第１の所定領域側に配置された第１のアンテナ、及び精算後の商品が置かれる第２の所定領域側に配置された第２のアンテナを有し、前記第１及び第２のアンテナによって、商品に貼付されたＲＦタグから該タグに記憶されている商品情報を読み取るリーダライタと、前記第１のアンテナ及び前記第２のアンテナが読み取った前記商品情報を管理する管理装置と、を備え、前記管理装置は、前記第１のアンテナで１つの商品に貼付された所定のＲＦタグを読み取れる状態から読み取れない状態に変化し、その後に、前記第２のアンテナで前記所定のＲＦタグを読み取れない状態から読み取れる状態に変化したと判定された場合に、前記所定のＲＦタグが貼付された前記商品が購入されたと判定することを特徴とする。
【００１３】
これによると、第１のアンテナでＲＦタグを読み取れる状態からこのＲＦタグを読み取れない状態に変化し、その後に、第２のアンテナで同一のＲＦタグを読み取れない状態から読み取れる状態に変化したと判定された場合に、このＲＦタグが貼付された商品が購入されたと判定することができる。これにより、ＲＦＩＤ技術を用いた商品金額の精算時にＲＦタグの誤読率を低減することが可能となる。
【００１４】
また、第２の発明は、上記の第１の発明において、前記管理装置は、前記第１のアンテナ及び前記第２のアンテナが前記所定のＲＦタグから取得した信号の受信信号強度について、前記第１のアンテナの前記受信信号強度の値が前記第２のアンテナの前記受信信号強度の値よりも大きい状態から、前記第１のアンテナの前記受信信号強度の値が前記第２のアンテナの前記受信信号強度の値よりも小さい状態に変化した場合に、前記所定のＲＦタグが貼付された前記商品が購入されたと判定することを特徴とする。
【００１５】
これによると、第１のアンテナ及び第２のアンテナがＲＦタグから取得した信号の受信信号強度に基づき、このＲＦタグが貼付された商品が購入されたと判定することができる。これにより、ＲＦＩＤ技術を用いた商品金額の精算時にＲＦタグの誤読率を低減することが可能となる。
【００１６】
また、第３の発明は、上記の第１の発明または第２の発明において、前記第１のアンテナと前記第２のアンテナとの間に、前記第１のアンテナ及び前記第２のアンテナから放射される電波を遮蔽する遮蔽板を設けたことを特徴とする。
【００１７】
これによると、第１のアンテナによる第１の所定領域外への電波漏洩、及び第２のアンテナによる第２の所定領域外への電波漏洩を抑制することができるので、ＲＦタグの誤読率をさらに低減することが可能となる。
【００１８】
また、第４の発明は、買物客が購入した商品の金額を精算するためのレジシステムであって、精算前の商品が置かれる第１の所定領域側に配置された第１のアンテナ、精算後の商品が置かれる第２の所定領域側に配置された第２のアンテナ、及び前記第１のアンテナと前記第２のアンテナとの間に配置される第３のアンテナを有し、前記第１、第２及び第３のアンテナによって、商品に貼付されたＲＦタグから該タグに記憶されている商品情報を読み取るリーダライタと、前記第１のアンテナ、前記第２のアンテナ、及び前記第３のアンテナが読み取った前記商品情報を管理する管理装置と、を備え、前記管理装置は、１つの商品に貼付された所定のＲＦタグから取得した信号について、前記第１のアンテナでは読み取れるが前記第３のアンテナでは読み取れない状態から、前記第１のアンテナでは読み取れないが前記第３のアンテナでは読み取れる状態に変化し、その後に、前記第３のアンテナでは読み取れるが前記第２のアンテナでは読み取れない状態から、前記第３のアンテナでは読み取れないが前記第２のアンテナでは読み取れる状態に変化した場合にのみ、前記所定のＲＦタグが貼付された前記商品が購入されたと判定することを特徴とする。
【００１９】
これによると、第１のアンテナ及び第２のアンテナに加えて、第１のアンテナ及び第２のアンテナ間に配置された第３のアンテナでの読み取り状態の変化も合わせることにより、商品が購入されたことをより確実に判定することができる。これにより、ＲＦタグの誤読率をさらに低減することが可能となる。
【００２０】
また、第５の発明は、上記の第４の発明において、前記管理装置は、前記第１のアンテナ、前記第２のアンテナ、及び前記第３のアンテナの各アンテナが前記所定のＲＦタグから取得した信号の受信信号強度に基づいて、前記読み取れる状態であるか前記読み取れない状態であるかを判定するものとし、前記第１のアンテナの前記受信信号強度の値が前記第３のアンテナの前記受信信号強度の値よりも大きい状態から、前記第１のアンテナの前記受信信号強度の値が前記第３のアンテナの前記受信信号強度の値よりも小さい状態に変化し、その後に、前記第３のアンテナの前記受信信号強度の値が前記第２のアンテナの前記受信信号強度の値よりも大きい状態から、前記第３のアンテナの前記受信信号強度の値が前記第２のアンテナの前記受信信号強度の値よりも小さい状態に変化した場合にのみ、前記所定のＲＦタグが貼付された前記商品が購入されたと判定することを特徴とする。
【００２１】
これによると、第１のアンテナ、第２のアンテナ、及び第３のアンテナの各アンテナがＲＦタグから取得した信号の受信信号強度に基づき、このＲＦタグが貼付された商品が購入されたと判定することができる。これにより、ＲＦＩＤ技術を用いた商品金額の精算時にＲＦタグの誤読率を低減することが可能となる。そして、第１のアンテナ及び第２のアンテナに加えて、第１のアンテナ及び第２のアンテナ間に配置された第３のアンテナでの読み取り状態の変化も合わせることにより、商品が購入されたことをより確実に判定することができる。これにより、ＲＦタグの誤読率をさらに低減することが可能となる。
【００２２】
また、第６の発明は、上記の第４の発明または第５の発明において、前記第１のアンテナ、前記第２のアンテナ、及び前記第３のアンテナの各アンテナ間に、前記各アンテナから放射される電波を遮蔽する遮蔽板を設けたことを特徴とする。
【００２３】
これによると、第１のアンテナ、第２のアンテナ、及び第３のアンテナの各アンテナから商品が置かれる各所定領域外への電波漏洩を抑制することができるので、ＲＦタグの誤読率をさらに低減することが可能となる。
【００２４】
また、第７の発明は、上記の第１の発明ないし第６の発明のいずれかにおいて、前記精算前の商品が前記第１の所定領域に置かれたか否かを検出するセンサをさらに備え、前記リーダライタは、精算前の商品が前記第１の所定領域に置かれたことが検出されたときに読み取りを開始し、精算前の商品が前記第１の所定領域から除去されたことが検出されたときに読み取りを終了することを特徴とする。
【００２５】
これによると、リーダライタは精算時以外には読み取りを行わないので、ＲＦタグの誤読率をさらに低減することが可能となる。
【００２６】
また、第８の発明は、上記の第１の発明ないし第７の発明のいずれかにおいて、前記第１の所定領域に置かれた前記精算前の商品の重量を測定する第１の重量センサと、前記第２の所定領域に置かれた前記精算後の商品の重量を測定する第２の重量センサとをさらに備え、前記管理装置は、前記第１の重量センサで測定した前記第１の所定領域の重量の減少分が、前記第２の重量センサで測定した前記第２の所定領域の重量の増加分と一致するか否かを判定し、一致すると判定された場合にのみ、前記所定のＲＦタグが貼付された前記商品が購入されたと判定することを特徴とする。
【００２７】
これによると、商品が第１の所定領域（例えば精算前カゴ）から第２の所定領域（例えば精算後カゴ）に移動したと、各所定領域の重量の増減から確認された場合にのみ、商品が購入されたと判定することができるので、ＲＦタグの誤読率をさらに低減することが可能となる。
【００２８】
また、第９の発明は、上記の第１の発明ないし第７の発明のいずれかにおいて、前記第１の所定領域に置かれた前記精算前の商品の重量を測定する重量センサをさらに備え、前記所定のＲＦタグには該タグが貼付された前記商品の重量が記憶されており、前記管理装置は、前記重量センサで測定した前記第１の所定領域の重量の減少分が、前記所定のＲＦタグから読み取った前記商品の重量と一致するか否かを判定し、一致すると判定された場合にのみ、前記所定のＲＦタグが貼付された前記商品が購入されたと判定することを特徴とする。
【００２９】
これによると、リーダライタがＲＦタグから読み取った商品の重量と、測定された重量とが一致する場合にのみ、商品が購入されたと判定することができるので、ＲＦタグの誤読率をさらに低減することが可能となる。
【００３０】
また、第１０の発明は、上記の第１の発明ないし第７の発明のいずれかにおいて、前記第２の所定領域に置かれた前記精算後の商品の重量を測定する重量センサをさらに備え、前記所定のＲＦタグには該タグが貼付された前記商品の重量が記憶されており、前記管理装置は、前記重量センサで測定した前記第２の所定領域の重量の増加分が、前記所定のＲＦタグから読み取った前記商品の重量と一致するか否かを判定し、一致すると判定された場合にのみ、前記所定のＲＦタグが貼付された前記商品が購入されたと判定することを特徴とする。
【００３１】
これによると、リーダライタがＲＦタグから読み取った商品の重量と、測定された重量とが一致する場合にのみ、商品が購入されたと判定することができるので、ＲＦタグの誤読率をさらに低減することが可能となる。
【００３２】
また、第１１の発明は、買物客が購入した商品の金額を精算するためのレジ精算方法であって、精算前の商品が置かれる第１の所定領域側に配置された第１のアンテナによって、１つの商品に貼付された所定のＲＦタグから該タグに記憶されている商品情報をリーダライタが読み取り、精算後の商品が置かれる第２の所定領域側に配置された第２のアンテナによって、前記所定のＲＦタグから該タグに記憶されている商品情報を前記リーダライタが読み取り、前記第１のアンテナで前記所定のＲＦタグを読み取れる状態から読み取れない状態に変化し、その後に、前記第２のアンテナで前記所定のＲＦタグを読み取れない状態からから読み取れる状態に変化したと判定された場合に、前記所定のＲＦタグが貼付された前記商品が購入されたと判定することを特徴とする。
【００３３】
これによると、第１のアンテナでＲＦタグを読み取れる状態からこのＲＦタグを読み取れない状態に変化し、その後に、第２のアンテナで同一のＲＦタグを読み取れない状態から読み取れる状態に変化したと判定された場合に、このＲＦタグが貼付された商品が購入されたと判定することができる。これにより、ＲＦＩＤ技術を用いた商品金額の精算時にＲＦタグの誤読率を低減することが可能となる。
【００３４】
また、第１２の発明は、買物客が購入した商品の金額を精算するためのレジ精算方法であって、精算前の商品が置かれる第１の所定領域側に配置された第１のアンテナによって、１つの商品に貼付された所定のＲＦタグから該タグに記憶されている商品情報をリーダライタが読み取り、精算後の商品が置かれる第２の所定領域側に配置された第２のアンテナによって、前記所定のＲＦタグから該タグに記憶されている商品情報を前記リーダライタが読み取り、前記第１のアンテナと前記第２のアンテナとの間に配置された第３のアンテナによって、前記所定のＲＦタグから該タグに記憶されている商品情報を前記リーダライタが読み取り、前記第１のアンテナでは読み取れるが前記第３のアンテナでは読み取れない状態から、前記第１のアンテナでは読み取れないが前記第３のアンテナでは読み取れる状態に変化し、その後に、前記第３のアンテナでは読み取れるが前記第２のアンテナでは読み取れない状態から、前記第３のアンテナでは読み取れないが前記第２のアンテナでは読み取れる状態に変化した場合にのみ、前記所定のＲＦタグが貼付された前記商品が購入されたと判定することを特徴とする。
【００３５】
これによると、第１のアンテナ及び第２のアンテナに加えて、第１のアンテナ及び第２のアンテナ間に配置された第３のアンテナでの読み取り状態の変化も合わせることにより、商品が購入されたことをより確実に判定することができる。これにより、ＲＦタグの誤読率をさらに低減することが可能となる。
【００３６】
また、第１３の発明は、上記の第１１の発明または第１２の発明において、記第１の所定領域に置かれた前記精算前の商品の重量を測定し、前記第２の所定領域に置かれた前記精算後の商品の重量を測定し、測定した前記第１の所定領域の重量の減少分が、測定した前記第２の所定領域の重量の増加分と一致するか否かを判定し、一致すると判定された場合にのみ、前記所定のＲＦタグが貼付された前記商品が購入されたと判定することを特徴とする。
【００３７】
これによると、商品が第１の所定領域（例えば精算前カゴ）から第２の所定領域（例えば精算後カゴ）に移動したと、各所定領域の重量の増減から確認された場合にのみ、商品が購入されたと判定することができるので、ＲＦタグの誤読率をさらに低減することが可能となる。
【００３８】
以下、本発明の実施形態について、図面を参照しながら説明する。
【００３９】
（第１実施形態）
図１は、本発明の第１実施形態に係るレジシステム１の概略構成図である。図１に示すように、レジシステム１は、リーダライタ２と、管理装置３と、ＰＯＳ端末４とを備えている。レジシステム１の各構成要素２−４は、ネットワーク５を介して相互に接続されている。
【００４０】
このレジシステム１は、買物客が購入した商品６に貼付されたＲＦタグ７からＲＦＩＤ技術を用いて読み取った商品情報に基づき、商品６の金額を精算する。ＲＦタグ７（以降、単に「タグ７」と称する）には、固有のタグ識別コードが付与されており、そのタグ識別コードに紐付けて、商品名、価格、賞味期限等の商品情報が記憶されている。本実施形態では、レジシステム１は、買物客が自分で会計するセルフレジ方式に適用することを想定している。なお、レジシステム１は、セルフレジ方式に限定されるものではなく、店員が会計するレジ方式や、店員が会計を補助するレジ方式に適用してもよい。
【００４１】
リーダライタ２は、第１のアンテナ１１と、第２のアンテナ１２とを有している。第１のアンテナ１１及び第２のアンテナ１２は、商品６の金額の精算時に、商品６を入れたカゴが置かれるレジ台１０（図２参照）に配置されており、商品６の金額の精算時に、商品６に貼付されたタグ７と無線通信してタグ７に記憶されている商品情報を読み取る。第１のアンテナ１１及び第２のアンテナ１２がタグ７から読み取った情報は、ネットワーク５を介して、管理装置３に送信される。
【００４２】
図２は、第１のアンテナ１１及び第２のアンテナ１２が配置されるレジ台１０を示す斜視図である。図２に示すように、第１のアンテナ１１及び第２のアンテナ１２は、レジ台１０の上面１０ａに、互いに電波が干渉しないような所定の距離を隔てて配置されている。本実施形態では、タグ７は、９２０ＭＨｚ帯の周波数（ＵＨＦ帯）を使用するパッシブ型のＲＦタグであり、第１のアンテナ１１及び第２のアンテナ１２は、９２０ＭＨｚ帯の周波数を使用して、タグ７から情報を読み取る。
【００４３】
なお、リーダライタ２は、タグ７から情報を読み取る機能を有していればよく、タグ７に情報を書き込む機能は必須ではない。また、本実施形態では、１台のリーダライタ２が、第１のアンテナ１１及び第２のアンテナ１２を有する構成としているが、第１のアンテナ１１を有する第１のリーダライタ２と、第２のアンテナ１２を有する第２のリーダライタ２との２台のリーダライタ２を用いる構成としてもよい。また、第１のアンテナ１１及び第２のアンテナ１２は、指向性及び偏波特性から円偏波パッチアンテナが好ましいが、これに限定されない。
【００４４】
図３は、図２に示したレジ台１０での精算時の様子を示す図である。図３に示すように、商品６の金額の精算時は、レジ台１０の上面１０ａにおける第１のアンテナ１１の上方の所定領域（以降、「第１の所定領域」と称する）に、精算前の商品を入れる精算前カゴ２１が置かれ、レジ台１０の上面１０ａにおける第２のアンテナ１２の上方の所定領域（以降、「第２の所定領域」と称する）に、精算後の商品を入れる精算後カゴ２２が置かれる。
【００４５】
商品６の精算時には、買物客（または店員）が、精算前カゴ２１から精算後カゴ２２に商品６を移動させる。したがって、商品６の精算時には、商品６に貼付されたタグ７は、精算前カゴ２１に入っているときは第１のアンテナ１１により読み取られ、精算後カゴ２２に入っているときは第２のアンテナ１２により読み取られる。
【００４６】
なお、本実施形態では、精算前カゴ２１及び精算後カゴ２２を使用することを想定しているが、精算前カゴ２１または精算後カゴ２２の代わりに、レジ袋、マイバッグ、エコバッグ等を用いてもよい。図３の例では、広げた状態のマイバッグが精算後カゴ２２に被せられている。また、商品６に貼付されたタグ７は、精算前カゴ２１から出されたときに第１のアンテナ１１に読み取られ、精算後カゴ２２に入るときに第２のアンテナ１２に読み取られてもよい。また、精算前カゴ２１または精算後カゴ２２を使用せずに、商品６を直接、レジ台１０の第１の所定領域または第２の所定領域に置いてもよい。また、図示例では商品は１つであるが、複数の商品が精算前カゴ２１に収容されていてもよい。
【００４７】
管理装置３は、公知の構成を有するサーバ（コンピュータ）から構成され、リーダライタ２から取得した商品情報を管理する。そして、詳細については後述するが、商品６の精算時には、第１のアンテナ１１または第２のアンテナ１２がタグ７を読み取れたか否を判定することにより、その商品が購入されたか否かを判定する。
【００４８】
図４は、管理装置３の概略構成を示すブロック図である。管理装置３は、公知のハードウェア構成を備えており、所定の制御プログラム（例えば商品情報管理プログラム）に基づきレジシステム１における各処理を統括的に実行するプロセッサ３１、このプロセッサ３１のワークエリア等として機能する揮発性メモリであるＲＡＭ３２、プロセッサ３１が実行する制御プログラムやデータを格納する不揮発性メモリであるＲＯＭ３３、管理装置３の動作に必要なプログラムやデータを記憶するストレージを有する記憶部３４、ユーザに必要な情報を表示するモニタを有する表示部３５、ユーザの入力操作を可能とするキーボードやマウス等の入力デバイスを有する入力部３６、ネットワーク５を介した通信を実行する通信モジュールを有する通信部３７等を備えている。
【００４９】
管理装置３の各機能は、図４に示したハードウェア構成において、プロセッサ３１が所定の制御プログラムを実行することによって実現可能である。なお、管理装置３の機能の少なくとも一部を他の公知のハードウェアによる処理によって代替してもよい。
【００５０】
ＰＯＳ端末４は、公知の精算機能を有するＰＯＳ（Point Of Sales System）端末装置であり、管理装置３で購入されたと判定された商品６について、その商品６の商品情報に基づき商品金額の精算処理を行う。
【００５１】
図５は、管理装置３で実施される商品の購入の判定処理を説明するためのフロー図である。以下、図５及び図３を参照して、商品の購入の判定処理について説明する。この処理は、レジ台１０の上面１０ａの第１の所定領域に精算前カゴ２１が置かれたときに開始される。なお、精算時には、精算後カゴ２２は、第２の所定領域に配置されているものとする。
【００５２】
買物客は、商品６の精算時には、レジ台１０の上面１０ａの第１の所定領域に精算前カゴ２１を置く（ステップＳＴ１０１）。第１の所定領域に精算前カゴ２１が置かれたことは、第１の所定領域の近傍または下方に配置された物体センサまたは重量センサ等により検出するとよい。
【００５３】
第１の所定領域に精算前カゴ２１が置かれたことが検出されると、リーダライタ２を起動して、第１のアンテナ１１及び第２のアンテナ１２での商品６のタグ７の読み取りを開始する（ステップＳＴ１０２）。上述したように、商品６に貼付されたタグ７は、精算前カゴ２１に入っているときは第１のアンテナ１１により読み取られ、精算後カゴ２２に入っているときは第２のアンテナ１２により読み取られる。なお、ステップＳＴ１０１の代わりに、買物客または店員が、精算開始ボタンを押して、リーダライタ２を起動するようにしてもよい。
【００５４】
次に、タグ７に記憶されている商品情報を、第１のアンテナ１１（ＡＮＴ１）で読み取ることができ（読取ＯＫ）、かつ、第２のアンテナ１２（ＡＮＴ２）で読み取ることができない（読取ＮＧ）という状態であるか否かを判定する（ステップＳＴ１０３）。つまり、ここでは、商品が精算前カゴ２１に入っていて、精算後カゴ２２には入っていない状態であることを判定している。この状態であると判定された場合（ステップＳＴ１０３：Ｙｅｓ）にはステップＳＴ１０４に進み、この状態ではないと判定された場合（ステップＳＴ１０３：Ｎｏ）にはステップＳＴ１０６に進む。
【００５５】
ステップＳＴ１０４では、タグ７に記憶されている商品情報を、第１のアンテナ１１（ＡＮＴ１）で読み取ることができない（読取ＮＧ）、かつ、第２のアンテナ１２（ＡＮＴ２）で読み取ることができる（読取ＯＫ）という状態であるか否かを判定する。つまり、ここでは、商品が精算前カゴ２１から取り出されて、精算後カゴ２２に移動した状態であることを判定している。この状態であると判定された場合（ステップＳＴ１０４：Ｙｅｓ）には、ステップＳＴ１０５に進み、この状態ではないと判定された場合（ステップＳＴ１０４：Ｎｏ）には、先のステップＳＴ１０３に戻り、ステップＳＴ１０３以降の処理を繰り返す。
【００５６】
ステップＳＴ１０５では、そのタグ７が貼付された商品６が購入されたと判定する。このとき、例えば、ＰＯＳ端末４の表示画面に買物客が購入した商品数を表示し、商品６が購入されたと判定されるたびに表示する商品数を更新するようにすると、買物客に対して、商品６が購入されたことを知らせることができる。
【００５７】
ステップＳＴ１０６では、第１の所定領域から精算前カゴ２１が除去されたか否かを判定する。第１の所定領域から精算前カゴ２１が除去されたことは、上記のステップＳＴ１０１と同様に、第１の所定領域の近傍または下方に配置された物体センサまたは重量センサ等により検出するとよい。第１の所定領域から精算前カゴ２１が除去されたと判定された場合（ステップＳＴ１０６：Ｙｅｓ）には、ステップＳＴ１０７に進み、除去されていないと判定された場合（ステップＳＴ１０６：Ｎｏ）には、先のステップＳＴ１０３に戻り、ステップＳＴ１０３以降の処理を繰り返す。
【００５８】
ステップＳＴ１０７では、リーダライタ２をオフにして（動作を終了させ）、第１のアンテナ１１及び第２のアンテナ１２での商品６のタグ７の読み取りを終了する。
【００５９】
続くステップＳＴ１０８では、タグ７が貼付された商品６が購入されたと判定する。これにより、買物客が購入した商品６が確定する。
【００６０】
そして、ステップＳＴ１０９では、購入が確定した商品６の金額をＰＯＳ端末４で精算する。
【００６１】
このように、本発明の第１実施形態によれば、第１のアンテナ１１及び第２のアンテナ１２でのタグ７の読み取りの状態の変化に基づき、そのタグ７が貼付された商品６が購入された（精算後カゴに移動した）と判定することができる。これにより、ＲＦＩＤ技術を用いた商品金額の精算時にＲＦタグの誤読率を低減することが可能となる。
【００６２】
また、リーダライタ２は、精算前カゴ２１が第１の所定位置に置かれたときに起動し、精算時以外には読み取りを行わないので、タグ７の誤読率をさらに低減することが可能となる。
【００６３】
（第１変形例）
また、上記のステップＳＴ１０３及びステップＳＴ１０４において、第１のアンテナ１１または第２のアンテナ１２がタグ７を読み取ることができたか否かを判定するときは、第１のアンテナ１１及び第２のアンテナ１２がタグ７から取得した信号の強度を示す受信信号強度（ＲＳＳＩ：Receive Signal Strength Indication）に基づいて判定するようにしてもよい。この場合は、図６に示すように、ステップＳＴ１０３及びステップＳＴ１０４の代わりに、ステップＳＴ２０１及びステップＳＴ２０２を設ける。
【００６４】
ステップＳＴ２０１では、第１のアンテナ１１及び第２のアンテナ１２がタグ７から取得した信号の受信信号強度（ＲＳＳＩ）について、第１のアンテナ１１（ＡＮＴ１）のＲＳＳＩの値が、第２のアンテナ１２（ＡＮＴ２）のＲＲＳＩの値よりも大きいか否かを判定する。大きいと判定された場合（ステップＳＴ２０１：Ｙｅｓ）には、次のステップＳＴ２０２に進み、大きくないと判定された場合（ステップＳＴ２０１：Ｎｏ）には、ステップＳＴ１０６に進む。ステップＳＴ２０１で、第１のアンテナ１１（ＡＮＴ１）のＲＳＳＩの値の方が大きいと判定されるということは、商品が精算前カゴ２１に入っているということになる。
【００６５】
ステップＳＴ２０２では、第１のアンテナ１１（ＡＮＴ１）のＲＳＳＩの値が、第２のアンテナ１２（ＡＮＴ２）のＲＲＳＩの値よりも小さいか否かを判定する。小さいと判定された場合（ステップＳＴ２０２：Ｙｅｓ）には、次のステップＳＴ１０５に進み、小さくないと判定された場合（ステップＳＴ２０２：Ｎｏ）には、先のステップＳＴ１０３に戻る。ステップＳＴ２０２で、第１のアンテナ１１（ＡＮＴ１）のＲＳＳＩの値の方が小さいと判定されるということは、商品が精算前カゴ２１から精算後カゴ２２に移動されたということになる。
【００６６】
このようにすると、タグ７から取得した信号の受信信号強度（ＲＳＳＩ）に基づき、第１のアンテナ１１または第２のアンテナ１２のどちらが、タグ７をより強く読み取ることができたか否かを容易に判定することができる。
【００６７】
（第２変形例）
また、タグ７に記憶されている商品情報を第１のアンテナ１１及び第２のアンテナ１２が読み取った後に、商品６が精算前カゴ２１から精算後カゴ２２に移動したことを確認するようにしてもよい。この場合は、図７に示すように、ステップＳＴ１０４とステップＳＴ１０５との間に、ステップＳＴ３０１を設ける。
【００６８】
ステップＳＴ３０１では、精算前カゴ２１の重量変化分（重量の減少分）と、精算後カゴ２２の重量変化分（重量の増加分）とが一致するか否かを判定する。精算前カゴ２１の重量変化分は、精算前カゴ２１が置かれる第１の所定位置の下方に配置した重量センサで測定し、精算後カゴ２２の重量変化分は、精算後カゴ２２が置かれる第２の所定位置の下方に配置した重量センサで測定する。
【００６９】
このステップＳＴ３０１において、精算前カゴ２１と精算後カゴ２２の重量変化分が一致すると判定された場合には（ステップＳＴ３０１：Ｙｅｓ）には、ステップＳＴ１０５に進み、一致しないと判定された場合（ステップＳＴ２０１：Ｎｏ）には、先のステップＳＴ１０３に戻る。
【００７０】
つまり、精算前カゴ２１において、１つの商品が取り出される前の重量と取り出された後の重量とを比較することによって、精算前カゴ２１の重量の減少分（取り出された商品の重さ）がわかる。また、精算後カゴ２２において、商品が入れられる前の重量と入れられた後の重量とを比較することによって、精算後カゴ２２の重量の増加分（入れられた商品の重さ）がわかる。精算前カゴ２１から取り出された商品の重量と、精算後カゴ２２に入れられた商品の重量が一致した場合に、その商品が購入された（精算後カゴに移動した）と判定することができる。
【００７１】
このようにすると、精算前カゴ２１から精算後カゴ２２に商品６が移動したことが確認された場合にのみ、商品６が購入されたと判定することができるので、タグ７の誤読率をさらに低減することが可能となる。
【００７２】
（第３変形例）
また、精算前カゴ２１から精算後カゴ２２に商品６が移動したことを確認するときに、タグ７に予め記憶させておいた商品６の重量を用いてもよい。この場合は、図８に示すように、ステップＳＴ１０４とステップＳＴ１０５との間に、ステップＳＴ３０２を設ける。また、この場合は、タグ７に記憶されている商品情報には、その商品６の重量が含まれているものとする。したがって、第１のアンテナ１１または第２のアンテナ１２は、タグ７から商品情報を読み取ったときに、その商品６の重量も読み取ることができる。
【００７３】
ステップＳＴ３０２では、精算前カゴ２１の重量変化分（重量の減少分）と、第１のアンテナ１１または第２のアンテナ１２でタグ７から読み取った商品６の重量とが一致するか否かを判定する。精算前カゴ２１の重量変化分は、精算前カゴ２１が置かれる第１の所定位置の下方に配置した重量センサで測定する。
【００７４】
このステップＳＴ３０２において、精算前カゴ２１の重量変化分が、商品６の重量と一致すると判定された場合には（ステップＳＴ３０２：Ｙｅｓ）には、ステップＳＴ１０５に進み、一致しないと判定された場合（ステップＳＴ３０２：Ｎｏ）には、先のステップＳＴ１０３に戻る。
【００７５】
このようにすると、精算前カゴ２１の重量変化分とタグ７に記憶させておいた商品６の重量とに基づき、精算前カゴ２１から精算後カゴ２２に商品６が移動したことを確認することができる。この場合は、使用する重量センサは、精算前カゴ２１が置かれる第１の所定位置に配置する１台だけでよいので、重量センサを２台使用する上記の第２変形例と比べて構成が簡略化される。
【００７６】
（第４変形例）
また、上記の第３変形例のステップ３０２において、精算前カゴ２１の重量変化分（重量の減少分）の代わりに、精算後カゴ２２の重量変化分（重量の増加分）を用いてもよい。精算後カゴ２２の重量変化分は、精算後カゴ２２が置かれる第２の所定位置の下方に配置した重量センサで測定する。
【００７７】
この場合は、図９に示すように、ステップＳＴ３０２の代わりにステップＳＴ３０３を設け、ステップＳＴ３０３において、精算後カゴ２２の重量変化分（重量の増加分）と、第１のアンテナ１１または第２のアンテナ１２でタグ７から読み取った商品６の重量とが一致するか否かを判定する。
【００７８】
このステップＳＴ３０３において、精算後カゴ２２の重量変化分が商品６の重量と一致すると判定された場合には（ステップＳＴ３０３：Ｙｅｓ）には、ステップＳＴ１０５に進み、一致しないと判定された場合（ステップＳＴ３０２：Ｎｏ）には、先のステップＳＴ１０３に戻る。
【００７９】
このようにすると、使用する重量センサは、精算後カゴ２２が置かれる第２の所定位置に配置する１台だけでよいので、上記の第３変形例と同様に、重量センサを２台使用する上記の第２変形例と比べて構成が簡略化される。
【００８０】
（第２実施形態）
図１０は、本発明の第２実施形態を示す図であり、図３に対応する図である。なお、この第２実施形態では、以下で特に言及しない事項については、上記の第１実施形態の場合と同様として詳細な説明を省略する。また、図１０において、上記の第１実施形態と同様の構成については、同一の符号を付している。
【００８１】
この第２実施形態では、第１のアンテナ１１及び第２のアンテナ１２は、精算前カゴ２１が置かれる第１の所定位置と、精算後カゴ２２が置かれる第２の所定位置との間の位置に配置されている。図１０の例では、第１のアンテナ１１は、第１の所定位置に隣接する位置に配置され、第２のアンテナ１２は、第２の所定位置に隣接する位置に配置されている。
【００８２】
この第２実施形態では、商品６のタグ７は、商品６を精算前カゴ２１から精算後カゴ２２に移動させるときに読み取られる。具体的には、商品６のタグ７は、商品６を精算前カゴ２１から出した直後に第１のアンテナ１１で読み取られ、その後、商品６を精算後カゴ２２に入れる直前に第２のアンテナ１２で読み取られる。なお、第１のアンテナ１１と第２のアンテナ１２の間に遮蔽板を設けるようにしてもよい。
【００８３】
このようにすると、第１のアンテナ１１及び第２のアンテナ１２を第１の所定位置と第２の所定位置との間に配置した場合でも、上記の第１実施形態と同様に、商品６のタグ７を第１のアンテナ１１及び第２のアンテナ１２で読み取ることができる。したがって、上記の第１実施形態と同様の効果を得ることができる。
【００８４】
（第３実施形態）
図１１は、第３実施形態を示す図であり、図３に対応する図である。なお、この第２実施形態では、以下で特に言及しない事項については、上記の第１実施形態及び第２実施形態の場合と同様として詳細な説明を省略する。また、図１１において、上記の第１実施形態及び第２実施形態と同様の構成については、同一の符号を付している。
【００８５】
この第３実施形態では、第１のアンテナ１１と、第２のアンテナ１２との間に、第３のアンテナ１３がさらに配置されている。この第３のアンテナ１３は、第１のアンテナ１１及び第２のアンテナ１２と同様のリーダライタ２のアンテナであり、タグ７に記憶されている商品情報を読み取ることができる。なお、第１のアンテナ１１及び第２のアンテナ１２は、上記の第２実施形態のように、第１の所定位置と第２の所定位置との間に配置してもよい。
【００８６】
この第３実施形態では、商品６のタグ７は、精算前カゴ２１に入っているとき及び精算後カゴ２２に入っているときに加えて、商品６を精算前カゴ２１から精算前カゴ２１に移動させる途中で、第３のアンテナ１３によりさらに読み取られる。
【００８７】
この第３実施形態では、管理装置３は、タグ７から送信された信号について、第１のアンテナ１１では読み取れるが第３のアンテナ１３では読み取れない状態（精算前カゴに商品が入っている状態）から、第１のアンテナ１１では読み取れないが第３のアンテナ１３では読み取れる状態（精算前カゴから商品が取り出されて第３のアンテナ１３に近付いている状態）に変化し、その後に、第３のアンテナ１３では読み取れるが第２のアンテナ１２では読み取れない状態（商品が第３のアンテナ１３の近くにあって精算後カゴに移動していない状態）から、第３のアンテナ１３では読み取れながい第２のアンテナ１２では読み取れる状態（精算後カゴに移動した状態）に変化した場合にのみ、そのタグ７が貼付された商品６が購入されたと判定する。
【００８８】
このようにすると、第１のアンテナ１１及び第２のアンテナ１２に加えて、第１のアンテナ１１及び第２のアンテナ１２間に配置された第３のアンテナ１３がＲＦタグを読み取ることができたか否かを判定することにより、商品６が購入された（精算後カゴに移動された）か否かをより確実に判定することができる。これにより、タグ７の誤読率をさらに低減することが可能となる。
【００８９】
また、上記の第１実施形態の第１変形例と同様に、第１のアンテナ１１、第２のアンテナ１２、及び第３のアンテナ１３の各アンテナがタグ７を読み取ることができたか否かを判定するときは、各アンテナがタグ７から取得した信号の強度を示す受信信号強度（ＲＳＳＩ）に基づいて判定するようにしてもよい。
【００９０】
この場合は、第１のアンテナ１１、第２のアンテナ１２、及び第３のアンテナ１３の各アンテナがタグ７から取得した信号の受信信号強度（ＲＳＳＩ）について、第１のアンテナ１１のＲＳＳＩの値が第３のアンテナ１３のＲＳＳＩの値よりも大きい状態から、第１のアンテナ１１のＲＳＳＩの値が第３のアンテナ１３のＲＳＳＩの値よりも小さい状態に変化し、その後に、第３のアンテナ１３のＲＳＳＩの値が第２のアンテナ１２のＲＳＳＩの値よりも大きい状態から、第３のアンテナ１３のＲＳＳＩの値が第２のアンテナ１２のＲＳＳＩの値よりも小さい状態に変化した場合にのみ、そのタグ７が貼付された商品６が購入されたと判定する。
【００９１】
このようにすると、第１のアンテナ１１、第２のアンテナ１２、及び第３のアンテナ１３の各アンテナがタグ７から取得した信号の受信信号強度に基づき、各アンテナがタグ７を読み取ることができたか否かを容易に判定することができる。そして、第１のアンテナ１１及び第２のアンテナ１２に加えて、第１のアンテナ１１及び第２のアンテナ１２間に配置された第３のアンテナ１３がタグ７を読み取ることができたか否かを判定することにより、その商品が購入されたか否かをより確実に判定することができる。これにより、タグ７の誤読率をさらに低減することが可能となる。
【００９２】
（第４実施形態）
図１２は、第４実施形態を示す図であり、図３に対応する図である。なお、この第４実施形態では、以下で特に言及しない事項については、上記の第１実施形態ないし第３実施形態の場合と同様として詳細な説明を省略する。また、図１２において、上記の第１実施形態ないし第３実施形態と同様の構成については、同一の符号を付している。
【００９３】
この第４実施形態では、第１のアンテナ１１と第２のアンテナ１２との間に、第１のアンテナ１１及び第２のアンテナ１２から放射される電波を遮蔽する遮蔽板１４が設けられている。遮蔽板１４は金属板または電波吸収体のいずれかまたは両方から構成されている。金属板の両面に電波吸収体を配置した構成にすると、電波吸収体で電波の反射を抑制し、金属板で電波の透過を防止することができる、すなわちＲＦタグからタグ情報を読み取る所定領域からの電波漏洩を抑制することができるので好ましい。
【００９４】
このようにすると、遮蔽板１４により、第１のアンテナ１１による第２の所定領域にある商品の読み取り、及び第２のアンテナ１２による第１の所定領域にある商品の読み取りをしづらくさせることができる。これにより、タグ７の誤読率をさらに低減することが可能となる。
【００９５】
なお、上記の各実施形態において、第１のアンテナ１１、第２のアンテナ１２、及び第３のアンテナ１３の各アンテナは複数設けてもよい。各アンテナを複数設けると、タグ７をより確実に読み取ることができるので、タグ７の誤読率を低減しつつ、読取率を向上させることが可能となる。また、各アンテナに各々遮蔽板を設けるようにしてもよい。
【００９６】
図１３は、第１実施形態において、第１のアンテナ１１及び第２のアンテナ１２の各アンテナを複数設けた場合を示す図であり、レジ台１０の斜視図を示す。図１３の例では、レジ台１０は、上面１０ａ及び側面１０ｂを有している。
【００９７】
第１実施形態において、第１のアンテナ１１及び第２のアンテナ１２の各アンテナを複数設ける場合は、図１３に示すように、各アンテナはレジ台１０の上面１０ａと側面１０ｂに設けるとよい。図１３の例では、第１のアンテナ１１は２台設けられおり、レジ台１０の上面１０ａに１１−１が、側面１０ｂに１１−２がそれぞれ配置されている。同様に、第２のアンテナ１２も２台設けられおり、レジ台１０の上面１０ａに１２−１が、側面１０ｂに１２−２がそれぞれ配置されている。
【００９８】
図１４は、第４実施形態において第１のアンテナ１１及び第２のアンテナ１２の各アンテナをさらに複数設ける場合を示す図であり、レジ台１０の上面図を示す。図１４の例では、レジ台１０は、上面１０ａと、上面１０ａの周縁部を取り囲む枠状の４つの側面１０ｂとを有している。なお、側面１０ｂは、遮蔽板１４と同様に、金属板または電波吸収体のいずれかまたは両方から構成することが好ましい。金属板の表面に電波吸収体を配置した構成にすると、電波吸収体で電波の反射を抑制し、金属板で電波の透過を防止することができる、すなわちタグ情報を読み取る所定領域からの電波漏洩を抑制することができるのでより好ましい。
【００９９】
第４実施形態において、第１のアンテナ１１及び第２のアンテナ１２の各アンテナは複数設ける場合は、図１４に示すように、各アンテナは、レジ台１０の上面１０ａ、側面１０ｂ、及び遮蔽板１４に設けるとよい。図１４の例では、第１のアンテナ１１は５台設けられおり、レジ台１０の上面１０ａに１１−１が、各側面１０ｂに１１−２、１１−３、１１−４が、遮蔽板１４に１１−５がそれぞれ配置されている。同様に、第２のアンテナ１２も５台設けられおり、レジ台１０の上面１０ａに１２−１が、各側面１０ｂに１２−２、１２−３、１２−４が、遮蔽板１４に１２−５がそれぞれ配置されている。
【０１００】
図示しないが、第２実施形態、第３実施形態の場合も同様であり、各アンテナを複数設ける場合は、各アンテナはレジ台１０の上面１０ａ、側面１０ｂまたは遮蔽板１４に設けるようにするとよい。
【０１０１】
以上、本発明を特定の実施形態に基づいて説明したが、これらの実施形態はあくまでも例示であって、本発明はこれらの実施形態によって限定されるものではない。また、上記実施形態に示した本発明に係るレジシステム及びレジ精算方法の各構成要素は、必ずしも全てが必須ではなく、少なくとも本発明の範囲を逸脱しない限りにおいて適宜取捨選択することが可能である。
【産業上の利用可能性】
【０１０２】
本発明に係るレジシステムは、ＲＦＩＤ技術を用いた商品金額の精算時にＲＦタグの誤読率を低減することを可能とするレジシステム及びレジ精算方法等として有用である。
【符号の説明】
【０１０３】
１    レジシステム
２    リーダライタ
３    管理装置
４    ＰＯＳ端末
５    ネットワーク
６    商品
７    ＲＦタグ
１０  レジ台
１１  第１のアンテナ
１２  第２のアンテナ
１３  第３のアンテナ
１４  遮蔽板
２１  精算前カゴ
２２  精算後カゴ
【図１】
2019191919.tif 000003
【図２】
2019191919.tif 000004
【図３】
2019191919.tif 000005
【図４】
2019191919.tif 000006
【図５】
2019191919.tif 000007
【図６】
2019191919.tif 000008
【図７】
2019191919.tif 000009
【図８】
2019191919.tif 000010
【図９】
2019191919.tif 000011
【図１０】
2019191919.tif 000012
【図１１】
2019191919.tif 000013
【図１２】
2019191919.tif 000014
【図１３】
2019191919.tif 000015
【図１４】
2019191919.tif 000016